(57)【要約】      （修正有）【課題】パッケージ内部から容易に内容物を取り出せるよう、簡単な構造で立方体形状やカップ形状のプラスチック製容器等に迫る利便性の向上を図る。【解決手段】パッケージ内側とパッケージ内部に充填される内容物との間に、一枚のフィルムシートＳを挿入することで、中間で作用するための仕切りを設け、簡単な構造で立方体形状やカップ形状のプラスチック製容器等に迫る利便性の向上を図る。パッケージ内部に充填された内容物ｖを、Ｕ字型もしくはＶ字型に挟み込む形で、パッケージ内側と内容物とを遮断して区分する。パッケージ内部から製品を取り出す際、挿入したフィルムシートを開封口から使用する分量ほど引き出せばよい。【選択図】図４
2015000764.tif 000002
【特許請求の範囲】
【請求項１】
在来の合成樹脂製フィルムにより形成された各種形状パッケージに装填して使用するフィルムシートで、パッケージ内部に充填される内容物とパッケージ内側との間において作用するフィルムシートの作用に基づいた使用方法ならびに形成方法。
【請求項２】
切り口より横幅方向に沿ってパッケージを全開封した時、パッケージ内部の製品を乾燥から守る効果がある、内袋としての機能も併せ持ち、パッケージ内部から内容物を取り出す際の作用変換を可能とした構造。
【発明の詳細な説明】
【発明の詳細な説明】
【技術分野】
【０００１】  本発明は、食品もしくは非食品に供する、さまざまな材質から成る合成樹脂製フィルムを重ね、加熱することにより接した部分の樹脂を溶融接着させ製袋加工された各種形状をなす合成樹脂製パッケージに挿入して、内容物とパッケージ内側との間で作用するための仕切りならびにその形成方法に関するものである。
【背景技術】
【０００２】  食品、非食品にかかわらず、日常生活において一般的に使用される各種材質の合成樹脂製フィルムから製袋加工されるパッケージの種類には、二方袋、三方袋、チャック付三方袋、合掌袋、ガゼット袋、スタンド袋、チャック付スタンド袋等がある。【０００３】  これらのパッケージは、保存性、気密性、保管性において非常に便利で優れており、現代社会において必要不可欠なものとなっている。
【発明の概要】
【発明が解決しようとする課題】
【０００４】  三方袋、合掌袋の利用例のうち、パッケージ内部に充填される内容物が食品のうち、比較的粘度の高い製品（味噌、餡）類の場合、パッケージ内部から内容物を取り出すためには、物理的に必ず絞り出し作業を伴う。これらの製品類の場合、パッケージ内部の容量が減ってくると、更に絞り出し時に力を要する。【０００５】  二方袋、三方袋の利用例のうち、パッケージ内部に充填される内容物が同じく食品のうち、昆布等の佃煮類の場合、パッケージ開封直後から内容物の量が多いうちは取出しが比較的容易であるが、内容物の量が減ってきて、パッケージ底部になると、各方向にバラバラに付着した状態となり、非常に取り出しにくくなる。【０００６】  前記不便さを解消するため、パッケージ中間地点にも更に開け口を設けて、内容物の量が減った時点で、切り口よりパッケージを半分の長さに切断して、全体の長さを短くすることで、内容物を取り出しやすくしているパッケージも存在する。
【課題を解決するための手段】
【０００７】  本発明は、前述のような問題点を解決すべく、パッケージ内部から容易に内容物を取り出せるよう、簡単な構造で立方体形状やカップ形状のプラスチック製容器等に迫る利便性の向上を図るようにしたものである。【０００８】  本発明を実施するにあたり、在来の合成樹脂製フィルムより形成された各種形状パッケージ内側と、パッケージ内部に充填される内容物との間に、一枚の薄いプラスチック製フィルムシートを挿入することとした。すなわち、パッケージ内側とパッケージ内部に充填される内容物との中間で作用するための仕切りを設けた。【０００９】  パッケージ内部に充填する製品に適合した採用するパッケージに対して、当該パッケージ内側の縦幅や横幅よりも短めにカットされた本発明に係る一枚の薄いプラスチック製フィルムシートを準備し、パッケージ内部へ内容物を充填する直前に、ヒートシールで密封前のパッケージ開口上部に、外れて脱落することのないようある程度たわませた状態で置き、その上から直接パッケージ内部に充填する内容物を落下させ、フィルムシートと一緒に落とし込むように挿入する。最終工程において、内容物の充填が完了したパッケージ開口部分をヒートシールで密封すれば製品として完成となる。【００１０】  パッケージ内部に充填する製品の種類によっては、本発明に係るフィルムシート装填時にズレが生じる可能性がある。それを防止するため、製袋時にあらかじめフィルムシートの片側をパッケージ本体にインパルスシールで接着固定したものを使用する。【００１１】  本発明に係るフィルムシートは、内容物充填後にパッケージ内部の内容物とパッケージ内側との間に入り、付着防止のための仕切りとして、ぴったりとパッケージ内部に挿入されることになる。
【発明の効果】
【００１２】  本発明に係るフィルムシートを使用することにより、パッケージ内部に充填された内容物をＵ字型もしくはＶ字型に挟み込む形でパッケージ内側と内容物とを遮断して区分することができる。【００１３】  例えば、パッケージ内部に充填される内容物が味噌や餡類の場合、二方袋、三方袋、合掌袋を使用した際の取り出し時の動作は、絞り出し作業から引き出し作業へと変化することになる。【００１４】  本発明に係るフィルムシートを製品パッケージ開封後、開封口より上方へ使用する分量のところまで引き上げれば、パッケージ内部から瞬時に内容物を取り出すことが可能となる。【００１５】  大量の料理を作る時など、一度に内容物を全部取り出して使い切る時は、本発明に係るフィルムシートをパッケージ開封口より上方へすべて抜き取りもしくは最大限に引き上げれば、パッケージ内部から内容物の取り出しは瞬時に完了する。この点は、プラスチック製容器以上の作業時間の短縮となる。【００１６】  本発明に係るフィルムシートを使用の際は、切り口より横幅方向に沿ってパッケージを全開封する必要があるが、分かれた作用面のそれぞれの面のフィルムシートを、パッケージ内部に充填された内容物側に折り込むことにより、内袋としての機能も併せ持ち、製品を乾燥から守る効果もある。【００１７】  本発明は、在来の各種形状パッケージにおいて、パッケージ内部の内容物を取り出し（絞り出し）の際、パッケージ内側へ内容物が密着ならびに付着することにより、完全剥離しにくい状態から開放して、力を使わなくても内容物を簡単に取り出すことを可能とすることである。したがって、パッケージ内部で内容物を単に仕切ることが目的ではなく、取り出しに係る作用変換を目的としたものである。【００１８】  本発明は、在来の各種形状パッケージに挿入および製袋加工時に追加加工することで、立方体形状やカップ形状のプラスチック製容器並みの取り出し易さ、扱い易さ等の機能向上を図るようにするためのものである。
【図面の簡単な説明】
【００１９】
【図１】本発明に係るフィルムシートＳを、合成樹脂製フィルムからパッケージに製袋加工された三方袋形状パッケージＡへ挿入した状態で、パッケージ上部をヒートシールｈで密封前または開封直後の状態を表す斜視図である。
【図２】本発明に係るフィルムシートＳをパッケージ本体にあらかじめインパルスシールｉで接着固定する際、フィルムシートＳを三方袋形状パッケージＡへ製袋加工する順序と位置を示す展開図である。
【図３】本発明に係るフィルムシートＳを三方袋形状パッケージＡに装着して、内容物ｖを充填前の待機状態もしくはフィルムシートＳを使用して、内容物ｖを取り出した後の状態を表す斜視図である。本図では、フィルムシートＳを三方袋形状パッケージＡにインパルスシールｉで片側ならびに片面を接着固定しないで、パッケージより引き抜きならびに取り出し可能なタイプを表したものである。
【図４】本発明に係るフィルムシートＳを三方袋形状パッケージＡに装着して、内容物ｖを充填前の待機状態もしくはフィルムシートＳを使用して、内容物ｖを取り出した後の状態を表す斜視図である。本図では、フィルムシートＳを三方袋形状パッケージＡにインパルスシールｉで片側ならびに片面を接着固定して内容物ｖを充填の際、フィルムシートＳがズレたり埋没するのを防ぐタイプを表す斜視図である。
【図５】本発明に係るフィルムシートＳを、合成樹脂製フィルムからパッケージに製袋加工された合掌袋形状パッケージＢへ挿入した状態で、パッケージ上部をヒートシールｈで密封前または開封直後の状態を表す斜視図である。
【図６】本発明に係るフィルムシートＳをパッケージ本体にあらかじめインパルスシールｉで接着固定する際、フィルムシートＳを合掌袋形状パッケージＢへ製袋加工する順序と位置を示す展開図である。
【図７】本発明に係るフィルムシートＳを合掌袋形状パッケージＢ本体にあらかじめインパルスシールｉで接着固定して、内容物ｖを充填の際にフィルムシートＳがズレたり埋没するのを防ぐタイプの合掌袋形状パッケージＢの形成直前の状態を表す斜視図である。
【図８】本発明に係るフィルムシートＳを合掌袋形状パッケージＢに装着して、内容物ｖを充填前の待機状態もしくはフィルムシートＳを使用して、内容物ｖを取り出した後の状態を表す斜視図である。本図では、フィルムシートＳを合掌袋形状パッケージＢにインパルスシールｉで片側ならびに片面を接着固定しないで、パッケージより引き抜きならびに取り出し可能なタイプを表したものである。
【図９】本発明に係るフィルムシートＳを合掌袋形状パッケージＢに装着して、内容物ｖを充填前の待機状態もしくはフィルムシートＳを使用して、内容物ｖを取り出した後の状態を表す斜視図である。本図では、フィルムシートＳを合掌袋形状パッケージＢにインパルスシールｉで片側ならびに片面を接着固定して内容物ｖを充填の際、フィルムシートＳがズレたり埋没するのを防ぐタイプを表す斜視図である。
【図１０】本発明に係るフィルムシートＳを、合成樹脂フィルム製のパッケージに製袋加工された二方袋形状パッケージＣへ挿入した状態で、パッケージ上部をヒートシールｈで密封前または開封直後の状態を表す斜視図である。
【図１１】本発明に係るフィルムシートＳをパッケージ本体にあらかじめインパルスシールｉで接着固定する際のフィルムシートＳを二方袋形状パッケージＣへ製袋加工する順序と位置を示す展開図である。
【図１２】本発明に係るフィルムシートＳを二方袋形状パッケージＣに装着して、内容物ｖを充填前の待機状態もしくはフィルムシートＳを使用して、内容物ｖを取り出した後の状態を表す斜視図である。本図では、フィルムシートＳを二方袋形状パッケージＣにインパルスシールｉで片側ならびに片面を接着固定しないで、パッケージより引き抜きならびに取り出し可能なタイプを表したものである。
【図１３】本発明に係るフィルムシートＳを二方袋形状パッケージＣに装着して、内容物ｖを充填前の待機状態もしくはフィルムシートＳを使用して、内容物ｖを取り出した後の状態を表す斜視図である。本図では、フィルムシートＳを二方袋形状パッケージＣにインパルスシールｉで片側ならびに片面を接着固定して、内容物ｖを充填の際、フィルムシートＳがズレたり埋没するのを防ぐタイプを表す斜視図である。
【図１４】本発明に係るフィルムシートＳを、合成樹脂製フィルムからパッケージに製袋加工されたガゼット袋形状パッケージＤへ挿入した状態で、パッケージ上部をヒートシールｈで密封前または開封直後の状態を表す斜視図である。
【図１５】本発明に係るフィルムシートＳをパッケージ本体にあらかじめインパルスシールｉで接着固定する際、フィルムシートＳをガゼット袋形状パッケージＤへ製袋加工する順序と位置を示す展開図である。
【図１６】本発明に係るフィルムシートＳをガゼット袋形状パッケージＤに装着して、内容物ｖを充填前の待機状態もしくはフィルムシートＳを使用して、内容物ｖを取り出した後の状態を表す斜視図である。本図では、フィルムシートＳをガゼット袋形状パッケージＤにインパルスシールｉで片側ならびに片面を接着固定しないで、パッケージより引き抜きならびに取り出し可能なタイプを表したものである。
【図１７】本発明に係るフィルムシートＳをガゼット袋形状パッケージＤに装着して、内容物ｖを充填前の待機状態もしくはフィルムシートＳを使用して、内容物ｖを取り出した後の状態を表す斜視図である。本図では、フィルムシートＳをガゼット袋形状パッケージＤにインパルスシールｉで片側ならびに片面を接着固定して内容物ｖを充填の際、フィルムシートＳがズレたり埋没するのを防ぐタイプを表す斜視図である。
【図１８】本発明に係るフィルムシートＳ本体と各種形状パッケージへ挿入する際の折り曲げ位置を示したものである。Ｓａ面とＳｂ面に分けているのは、挿入時に内容物ｖを挟み込む際、作用面が分かれるからである。三方袋形状パッケージＡ、合掌袋形状パッケージＢ、二方袋形状パッケージＣ、ガゼット袋形状パッケージＤへ挿入する際は、フィルムシートＳを５の位置で折り曲げる。ガゼット袋形状パッケージＤにおいては、パッケージ本体を開いて内容物ｖを充填する際には、６と７の二箇所の位置でそれぞれ折り曲げる。１０１は横幅、１０２は縦幅を表し、挿入するパッケージ形状やサイズに応じての可変部分である。
【図１９】本発明に係るフィルムシートＳ本体を各種形状パッケージ内へ挿入時に内容物ｖを挟み込む際の作用面をＳａ面とＳｂ面に分けて表した斜視図である。
【図２０】本発明に係るフィルムシートＳを三方袋形状パッケージＡまたは二方袋形状パッケージＣへ挿入時の作用を表す断面図である。フィルムシートＳを挿入した際に内容物ｖを挟み込むように作用する時、作用面はＳａ面とＳｂ面に分かれ、三方袋では、パッケージ本体は二枚の別々の合成樹脂製フィルムにより形成されるため、片側のフィルムをＡ、もう片側のフィルムをＡ′として区分した。二方袋では、パッケージ本体形成時、一枚の合成樹脂製フィルムを折りたたんで対称に貼り合わせるため、片側のフィルムをＣ、もう片側のフィルムをＣ′として区分した。パッケージ内部へ充填する内容物ｖの容量の増減による可変部分の体積幅を１０３で表す。
【図２１】本発明に係るフィルムシートＳを合掌袋形状パッケージＢへ挿入時の作用を表す断面図である。フィルムシートＳを挿入した際に内容物ｖを挟み込むように作用する時、作用面はＳａ面とＳｂ面に分かれる。パッケージ内部へ充填する内容物ｖの容量の増減による可変部分の体積幅を１０３で表す。
【図２２】本発明に係るフィルムシートＳをガゼット袋形状パッケージＤへ挿入時の作用を表す断面図である。フィルムシートＳを挿入した際に内容物ｖを挟み込むように作用する時、作用面はＳａ面とＳｂ面に分かれる。パッケージ内部へ充填する内容物ｖの容量の増減による可変部分の体積幅を１０３で表す。
【発明を実施するための形態】
【００２０】  以下、本発明の実施例について、図面を参照して詳細に説明する。
【００２１】  図１に示すのは、本発明に係るフィルムシートＳを三方袋形状パッケージＡへ挿入時の実施例を示す斜視図である。また、具体的な実施要領を図示したのが図３、図４である。パッケージ内部に挿入後の装填時、内容物ｖが充填された状態での作用時における断面図を図２０に示す。
【００２２】  図５に示すのは、本発明に係るフィルムシートＳを合掌袋形状パッケージＢへ挿入時の実施例を示す斜視図である。また、具体的な実施要領を図示したのが図８、図９である。パッケージ内部に挿入後の装填時、内容物ｖが充填された状態での作用時における断面図を図２１に示す。
【００２３】  図１０に示すのは、本発明に係るフィルムシートＳを二方袋形状パッケージＣへ挿入時の実施例を示す斜視図である。また、具体的な実施要領を図示したのが図１２、図１３である。パッケージ内部に挿入後の装填時、内容物ｖが充填された状態での作用時における断面図を図２０に示す。
【００２４】  図１４に示すのは、本発明に係るフィルムシートＳをガゼット袋形状パッケージＤへ挿入時の実施例を示す斜視図である。また、具体的な実施要領を図示したのが図１６、図１７である。パッケージ内部に挿入後の装填時、内容物ｖが充填された状態での作用時における断面図を図２２に示す。
【００２５】  本発明に係るフィルムシートＳ単体本体は、図１８に示す一枚の薄い無色透明のプラスチック製フィルムシートである。フィルムシートＳは、パッケージ内部に挿入して内容物ｖが充填された状態では、一枚のフィルムシートを図１９に示すように折り曲げた状態で使用する。パッケージ内部で内容物ｖを挟み込む際、作用面はＳａ面とＳｂ面に分かれて作用する。そのため、フィルムシートＳ一枚をパッケージ内部に挿入した時の作用面を区別するためＳａ面とＳｂ面に分けて表示している。
【００２６】  パッケージ内部へ充填される内容物ｖの性質、容量によりパッケージの形状とサイズが決められるため、図１８に示す本発明に係るフィルムシートＳの横幅１０１、縦幅１０２は、使用するパッケージに応じて変動する部分である。フィルムシートＳは、使用するパッケージの形状とサイズに応じて、横幅１０１部分、縦幅１０２部分のサイズを適宜調整してカットして使用する。
【００２７】  本発明に係るフィルムシートＳは、当該パッケージ内側の横幅や縦幅よりも常に短めにカットされて、面積を若干狭く小さくして、内部での可動に余裕を持たせた幅にする必要がある。これは、パッケージ開封後、フィルムシートＳ使用時に、途中で引っかかることなく、パッケージ内部で円滑に動作ならびに作用させるためである。
【００２８】  各種形状パッケージ内部へ充填する内容物ｖを増加させれば、図２０、図２１、図２２に示す体積幅１０３も増加する。それに反比例して、図１８に示す本発明に係るフィルムシートＳの横幅１０１を減少ならびに狭くする必要がある。体積幅１０３が増加すると、パッケージ本体全体の体積が膨らむことで、フィルムシートＳと接するパッケージ部分の面積が、内容物ｖに押し出されて、狭くなっていくからである。
【００２９】  本発明に係るフィルムシートＳは、パッケージ内部に充填する比較的粘度の高い内容物ｖに対して有効であり、大小にかかわらず乾燥した単体ならびに乾燥した複数からなる固形物、粉末、液体においては機能しない。
【００３０】  本発明に係るフィルムシートＳは、在来の各種形状パッケージにおいて、パッケージ内側とパッケージ内部の内容物ｖが相互に密着、吸着し合うことにより、取り出し（絞り出し）時において、付着して完全剥離しにくい状態から開放し、力を使わなくても内容物ｖを簡単に取り出すことが可能となる。
【００３１】  本発明に係るフィルムシートＳは、在来の各種形状パッケージに挿入および製袋加工時に追加加工する事で、立方体形状やカップ形状のプラスチック製容器並みの取り出し易さ、扱い易さ等の向上を図るためのものである。
【００３２】  本発明に係るフィルムシートＳが最も効力を発揮できるのは、味噌、餡等の粘度の高い食品や、昆布の佃煮等の細く細かい粘度のある内容物ｖに対してである。
【００３３】  特に、パッケージ内部に充填される内容物ｖが前記の味噌、餡等に対しては、本発明に係るフィルムシートＳを使用することで、内容物ｖの取り出す方法を、絞り出し作業から引き出しおよび引き抜き作業へと変化させることを可能とする。
【００３４】  パッケージ内部へ味噌、餡等の内容物ｖの充填には、合掌袋形状パッケージＢや、ガゼット袋形状パッケージＤの使用頻度が比較的高い。
【００３５】  本発明に係るフィルムシートＳの合掌袋形状パッケージＢへの装填は、図５に示すような形となる。図５に示す状態は、合掌袋形状パッケージＢへ挿入完了した状態で、パッケージ上部をヒートシールｈで密封前もしくは開封直後の状態を表したものである。
【００３６】  本発明に係るフィルムシートＳのガゼット袋形状パッケージＤへの装填は、図１４に示すような形となる。図１４に示す状態は、ガゼット袋形状パッケージＤへ挿入完了した状態で、パッケージ上部をヒートシールｈで密封前もしくは開封直後の状態を表したものである。
【００３７】  本発明に係るフィルムシートＳを合掌袋形状パッケージＢへの装着ならびに挿入は、図８に示すようにパッケージ内部へ充填する内容物ｖ挿入と同時に行い、フィルムシートＳとの間に挟みこむように充填する。内容物ｖの自重による自然落下により、フィルムシートＳと共にパッケージ内部へと挿入される。図１８に示す合掌袋形状パッケージＢに装着する際のフィルムシートＳの折り曲げ位置は、５の一箇所となり、アルファベットＶ字型のような形で作用する。
【００３８】  パッケージ内部に充填する製品や使用するパッケージの種類によっては、本発明に係るフィルムシートＳにズレ、しわ等が発生して、閉じたままの状態となり、フィルムシートＳとの間に確実に内容物ｖを挟み込むことができなくなる可能性がある。それを防止するため、図６に示すように製袋時にあらかじめフィルムシートＳの片側ならびに片面をインパルスシールｉで合掌袋形状パッケージＢ本体へ接着固定したものを使用する。図９に示すように、フィルムシートＳの片側Ｓａ面は、直接パッケージ本体に固定されているので、内容物ｖを充填する際には、フィルムシートＳの片側Ｓｂ面のみが落下して内容物ｖを挟み込むことになる。
【００３９】  図６には、合掌袋形状パッケージＢ本体へ本発明に係るフィルムシートＳの片側および片面を接着固定して製袋した後に、内容物ｖを充填する際に使用するパッケージの展開図を示し、数字は形成手順の順番を表し、同じ数字は、同時進行ならびに同時期に折り曲げることを表わしている。
【００４０】  図７には、図６の展開図の形成直前におけるヒートシールｈ前の合掌袋形状パッケージＢの状態を、立体的に斜視図により表したものである。
【００４１】  本発明に係るフィルムシートＳをガゼット袋形状パッケージＤへの装着ならびに挿入は、図１６に示すようにパッケージ内部へ充填する内容物ｖ挿入と同時に行い、フィルムシートＳとの間に挟みこむように充填する。内容物ｖの自重による自然落下により、フィルムシートＳと共にパッケージ内部へと挿入される。図１８に示すガゼット袋形状パッケージＤに装着する際のフィルムシートＳの折り曲げ位置は、６と７の二箇所となり、アルファベットＵ字型のような形で作用する。
【００４２】  パッケージ内部に充填する製品や使用するパッケージの種類によっては、本発明に係るフィルムシートＳにズレ、しわ等が発生して、閉じたままの状態となり、フィルムシートＳとの間に確実に内容物ｖを挟み込むことができなくなる可能性がある。それを防止するため、図１５に示すように製袋時にあらかじめフィルムシートＳの片側ならびに片面をインパルスシールｉでガゼット袋形状パッケージＤ本体へ接着固定したものを使用する。図１７に示すように、フィルムシートＳの片側Ｓａ面は、直接パッケージ本体に固定されているので、内容物ｖを充填する際には、フィルムシートＳの片側Ｓｂ面のみが落下して内容物ｖを挟み込むことになる。
【００４３】  図１５には、ガゼット袋形状パッケージＤ本体へ本発明に係るフィルムシートＳの片側および片面を接着固定して製袋した後に、内容物ｖを充填する際に使用するパッケージの展開図を示し、数字は形成手順の順番を表し、同じ数字は、同時進行ならびに同時期に折り曲げることを表わしている。ガゼット袋形状パッケージＤへの製袋加工時の際の折り曲げ位置は５の位置となるが、内容物ｖが充填される際にガゼット袋形状パッケージＤ本体を広げての使用状態では、６と７の二箇所の位置で折り曲げることになる。
【００４４】  パッケージ内部へ昆布の佃煮等の内容物ｖの充填には、三方袋形状パッケージＡまたは二方袋形状パッケージＣの使用頻度が比較的高い。
【００４５】  本発明に係るフィルムシートＳの三方袋形状パッケージＡへの装填は、図１に示すような形となる。図１に示す状態は、三方袋形状パッケージＡへ挿入完了した状態で、パッケージ上部をヒートシールｈで密封前もしくは開封直後の状態を表したものである。
【００４６】  本発明に係るフィルムシートＳを三方袋形状パッケージＡへの装着ならびに挿入は、図３に示すようにパッケージ内部へ充填する内容物ｖ挿入と同時に行い、フィルムシートＳとの間に挟みこむように充填する。内容物ｖの自重による自然落下により、フィルムシートＳと共にパッケージ内部へと挿入される。図１８に示す三方袋形状パッケージＡに装着する際のフィルムシートＳの折り曲げ位置は、５の一箇所となり、アルファベットＶ字型のような形で作用する。
【００４７】  パッケージ内部に充填する製品や使用するパッケージの種類によっては、本発明に係るフィルムシートＳにズレ、しわ等が発生して、閉じたままの状態となり、フィルムシートＳとの間に確実に内容物ｖを挟み込むことができなくなる可能性が生じる。それを防止するため、図２に示すように製袋時にあらかじめフィルムシートＳの片側ならびに片面をインパルスシールｉで三方袋形状パッケージＡ本体へ接着固定したものを使用する。図４に示すように、フィルムシートＳの片側Ｓａ面は、直接パッケージ本体に固定されているので、内容物ｖを充填する際には、フィルムシートＳの片側Ｓｂ面のみが落下して内容物ｖを挟み込むことになる。
【００４８】  図２には、三方袋形状パッケージＡ本体へ本発明に係るフィルムシートＳの片側および片面を接着固定して製袋した後に、内容物ｖを充填する際に使用するパッケージの展開図を示し、数字は形成手順の順番を表し、同じ数字は、同時進行ならびに同時期に折り曲げることを表わしている。
【００４９】  本発明に係るフィルムシートＳの二方袋形状パッケージＣへの装填は、図１０に示すような形となる。図１０に示す状態は、二方袋形状パッケージＣへ挿入完了した状態で、パッケージ上部をヒートシールｈで密封前もしくは開封直後の状態を表したものである。
【００５０】  本発明に係るフィルムシートＳを二方袋形状パッケージＣへの装着ならびに挿入は、図１２に示すようにパッケージ内部へ充填する内容物ｖ挿入と同時に行い、フィルムシートＳとの間に挟みこむように充填する。内容物ｖの自重による自然落下により、フィルムシートＳと共にパッケージ内部へと挿入される。図１８に示す二方袋形状パッケージＣに装着する際のフィルムシートＳの折り曲げ位置は、５の一箇所となり、アルファベットＶ字型のような形で作用する。
【００５１】  パッケージ内部に充填する製品や使用するパッケージの種類によっては、本発明に係るフィルムシートＳにズレ、しわ等が発生して、閉じたままの状態となり、フィルムシートＳとの間に確実に内容物ｖを挟み込むことができなくなる可能性がある。それを防止するため、図１１に示すように製袋時にあらかじめフィルムシートＳの片側をインパルスシールｉで二方袋形状パッケージＣ本体へ接着固定したものを使用する。図１３に示すように、フィルムシートＳの片側Ｓａ面は、直接パッケージ本体に固定されているので、内容物ｖを充填する際には、フィルムシートＳの片側Ｓｂ面のみが落下して内容物ｖを挟み込むことになる。
【００５２】  図１１には、二方袋形状パッケージＣ本体へ本発明に係るフィルムシートＳの片側および片面を接着固定して製袋した後に、内容物ｖを充填する際に使用するパッケージの展開図を示し、数字は形成手順の順番を表し、同じ数字は、同時進行ならびに同時期に折り曲げることを表わしている。
【００５３】  最終工程において、各種形状パッケージ内部へ内容物ｖの充填が完了したパッケージの開口部分を、ヒートシールｈで密封すれば、製品として完成となる。
【００５４】  本発明に係るフィルムシートＳが装填された製品のパッケージを開封して内容物ｖを取り出す際には、切り口より横幅方向に沿ってパッケージを全開封する必要があるが、フィルムシートＳは、内容物ｖ充填時に分かれた作用面のＳａ面、Ｓｂ面をパッケージ内部に充填された内容物ｖ側に折り込むことにより、内袋としても機能し、製品を乾燥から防ぐ効果も併せ持つ。
【符号の説明】
【００５５】  Ｓ  本発明に係るパッケージ・内容物相互密着防止取り出し区分フィルムシート本体
Ｓａ  本発明に係るパッケージ・内容物相互密着防止取り出し区分フィルムシートのうち、内容物ｖを挟み込む二面のうちの片側部分のフィルムシート面
Ｓｂ  本発明に係るパッケージ・内容物相互密着防止取り出し区分フィルムシートのうち、内容物ｖを挟み込む二面のうちの片側Ｓａ面と対称となる片側部分のフィルムシート面
ｉ  インパルスシール部分
ｖ  パッケージ内部に充填する内容物
ｈ  ヒートシール部分
Ａ  三方袋形状パッケージ
Ａ′三方袋形状パッケージ形成時において、二枚の別々の合成樹脂製フィルムを対称に貼り合わせるため、片側部分の面をＡ′として区分
Ｂ  合掌袋形状パッケージ
Ｃ  二方袋形状パッケージ
Ｃ′二方袋形状パッケージ形成時において、一枚の合成樹脂製フィルムを折りたたんで対称に貼り合わせるため、片側部分の面をＣ′として区分
Ｄ  ガゼット袋形状パッケージ
１  本発明に係るパッケージ・内容物相互密着防止取り出し区分フィルムシートを、各種形状パッケージ本体にあらかじめインパルスシールで片側ならびに片面を接着固定したものを形成する場合、合成樹脂製フィルムを製袋加工する際の折り曲げる順番を表し、一番目に折り曲げることを表す。
２  本発明に係るパッケージ・内容物相互密着防止取り出し区分フィルムシートを、各種形状パッケージ本体にあらかじめインパルスシールで片側ならびに片面を接着固定したものを形成する場合、合成樹脂製フィルムを製袋加工する際の折り曲げる順番を表し、二番目に折り曲げることを表す。同じ数字は、同時進行ならびに同時期に折り曲げることを表す。
３  本発明に係るパッケージ・内容物相互密着防止取り出し区分フィルムシートを、各種形状パッケージ本体にあらかじめインパルスシールで片側ならびに片面を接着固定したものを形成する場合、合成樹脂製フィルムを製袋加工する際の折り曲げる順番を表し、三番目に折り曲げることを表す。同じ数字は、同時進行ならびに同時期に折り曲げることを表す。
４  本発明に係るパッケージ・内容物相互密着防止取り出し区分フィルムシートを、各種形状パッケージ本体にあらかじめインパルスシールで片側ならびに片面を接着固定したものを形成する場合、合成樹脂製フィルムを製袋加工する際の折り曲げる順番を表し、四番目に折り曲げることを表す。同じ数字は、同時進行ならびに同時期に折り曲げることを表す。
５  本発明に係るパッケージ・内容物相互密着防止取り出し区分フィルムシート折り曲げ位置（三方袋・合掌袋・二方袋）
６  本発明に係るパッケージ・内容物相互密着防止取り出し区分フィルムシート折り曲げ位置（ガゼット袋へ内容物充填時の一箇所目）
７  本発明に係るパッケージ・内容物相互密着防止取り出し区分フィルムシート折り曲げ位置（ガゼット袋へ内容物充填時の二箇所目）
１０  本発明に係るパッケージ・内容物相互密着防止取り出し区分フィルムシートの挿入方向
１１  本発明に係るパッケージ・内容物相互密着防止取り出し区分フィルムシートの取り出し方向
１０１  本発明に係るパッケージ・内容物相互密着防止取り出し区分フィルムシートの横幅
１０２  本発明に係るパッケージ・内容物相互密着防止取り出し区分フィルムシートの縦幅
１０３  各種形状パッケージ内部へ充填する内容物ｖの容量の増減による可変部分の体積幅
【図１】
2015000764.tif 000003
【図２】
2015000764.tif 000004
【図３】
2015000764.tif 000005
【図４】
2015000764.tif 000006
【図５】
2015000764.tif 000007
【図６】
2015000764.tif 000008
【図７】
2015000764.tif 000009
【図８】
2015000764.tif 000010
【図９】
2015000764.tif 000011
【図１０】
2015000764.tif 000012
【図１１】
2015000764.tif 000013
【図１２】
2015000764.tif 000014
【図１３】
2015000764.tif 000015
【図１４】
2015000764.tif 000016
【図１５】
2015000764.tif 000017
【図１６】
2015000764.tif 000018
【図１７】
2015000764.tif 000019
【図１８】
2015000764.tif 000020
【図１９】
2015000764.tif 000021
【図２０】
2015000764.tif 000022
【図２１】
2015000764.tif 000023
【図２２】
2015000764.tif 000024
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
味噌、餡類等の比較的粘度の高い製品にのみ特化して、主に合成樹脂製フィルムにより形成される合掌袋Ｂ、ガゼット袋Ｄ、三方袋Ａにおいて、プラスチック製フィルムシートＳを内部に充填する内容物ｖを充填直前に合掌袋Ｂ、ガゼット袋Ｄならびに三方袋Ａへプラスチック製フィルムシートＳを挿入または片側にインパルスシールｉで接着固定されたプラスチック製フィルムシートＳを介して内部に充填する内容物ｖを充填するだけで、取り出しに係る搾り出し作業から、引き出し作業へ転換させることを可能とすることを特徴とした、作用変換を可能とするフィルムシートＳの装着ならびに使用方法。
【請求項２】
味噌、餡類等の比較的粘度の高い製品にのみ特化して、主に合成樹脂製フィルムにより形成される合掌袋Ｂ、ガゼット袋Ｄ、三方袋Ａ、ならびに二方袋Ｃおいて、図２、図４、図６、図７、図９、図１１、図１３、図１５、図１７に示す、インパルスシールｉでプラスチック製フィルムシートＳを固定して製袋加工する順序ならびに使用形態。